Podtech/llm-jp-corpus-v4-ja_patent huggingface dataset:
【手続補正書】
【提出日】平成26年2月3日(2014.2.3)
【手続補正１】
【補正対象書類名】明細書
【補正対象項目名】００６３
【補正方法】変更
【補正の内容】
【００６３】
次に、前記ステップＰ７で印刷速度設定器１２４に入力が有ったか否かを判断し、可であればステップＰ８で印刷速度設定器１２４に入力された値を読み込んで印刷速度記憶用メモリＭ１０２に上書きしてステップＰ９に移行する一方、否であれば直にステップＰ９に移行する。
【手続補正２】
【補正対象書類名】明細書
【補正対象項目名】００７２
【補正方法】変更
【補正の内容】
【００７２】
次に、ステップＰ２６で紙サイズに応じた左側横針装置位置より紙端から横針装置を逃がす距離を減算し、目標とする左側横針装置位置を演算して目標とする左側横針装置位置記憶用メモリＭ１０８に上書きした後、ステップＰ２７で紙サイズに応じた右側横針装置位置を、紙サイズに応じた右側横針装置位置記憶用メモリＭ１０６から読込む。
【手続補正３】
【補正対象書類名】明細書
【補正対象項目名】００８３
【補正方法】変更
【補正の内容】
【００８３】
つまり、図５のように、左側横針装置１２Ａが選択された場合、左側横針装置１２Ａが紙Ｗの紙サイズに応じた位置に位置付けられた時に第１の左側端部検出器１２５Ａで紙Ｗの左端部を検出でき、右側横針装置１２Ｂが紙Ｗの紙サイズに応じた位置から第１の右側端部検出器１２６Ａと第２の右側端部検出器１２６Ｂ間の左右方向の距離Ｌ2だけ原点位置に近い右側に位置付けられた時に第２の右側端部検出器１２６Ｂで紙Ｗの右端部を検出でき、逆に、右側横針装置１２Ｂが選択された場合、右側横針装置１２Ｂが紙Ｗの紙サイズに応じた位置に位置付けられた時に第１の右側端部検出器１２６Ａで紙Ｗの右端部を検出でき、左側横針装置１２Ａが紙Ｗの紙サイズに応じた位置から第１の左側端部検出器１２５Ａと第２の左側端部検出器１２５Ｂ間の左右方向の距離Ｌ1だけ原点位置に近い左側に位置付けられた時に第２の左側端部検出器１２５Ｂで紙Ｗの左端部を検出できる。尚、この実施例では、前記距離Ｌ1＝距離Ｌ2で、その値が紙端から横針装置を逃がす距離として設定されている。
【手続補正書】
【提出日】平成26年2月13日(2014.2.13)
【手続補正１】
【補正対象書類名】明細書
【補正対象項目名】発明の名称
【補正方法】変更
【補正の内容】
【発明の名称】インクジェット記録装置
【手続補正２】
【補正対象書類名】明細書
【補正対象項目名】０００１
【補正方法】変更
【補正の内容】
【０００１】
本発明は、インク消費量および紙ごみ量を低減した記録ヘッドの吐出回復が可能なインクジェット記録装置に関するものである。
【手続補正３】
【補正対象書類名】明細書
【補正対象項目名】０００５
【補正方法】変更
【補正の内容】
【０００５】
上記課題を解決するための本発明は、シートを第１方向に搬送する搬送手段と、前記第１方向と交差する第２方向に沿って複数のノズルが配列された第１ノズルチップが前記第２方向に沿って複数設けられた第１ノズルチップ群と、前記第２方向に沿って複数のノズルが配列された第２ノズルチップが前記第２方向に沿って複数設けられた第２ノズルチップ群と、を有し、前記第１ノズルチップ群と前記第２ノズルチップ群は前記第１方向においてずれて配置され、かつ隣接する前記第１ノズルチップと前記第２ノズルチップは前記第２方向において所定量ずれて配置された記録ヘッドと、を備えるインクジェット記録装置において、前記第１ノズルチップ群に含まれ前記第２方向において前記第２ノズルチップ群のノズルと重複するノズルと、前記第２ノズルチップ群に含まれ前記第２方向において前記第１ノズルチップ群のノズルと重複するノズルを、前記シートに記録された画像内に予備吐出する第１のモードと、前記シートに記録された画像間に予備吐出する第２のモードとのいずれのモードで予備吐出させるか決定する決定手段と、前記第１ノズルチップ群に含まれ前記第２方向において前記第２ノズルチップ群のノズルと重複しないノズルと、前記第２ノズルチップ群に含まれ前記第２方向において前記第１ノズルチップ群のノズルと重複しないノズルを前記第１のモードで予備吐出させ、前記第１ノズルチップ群に含まれ前記第２方向において前記第２ノズルチップ群のノズルと重複するノズルと、前記第２ノズルチップ群に含まれ前記第２方向において前記第１ノズルチップ群のノズルと重複するノズルを前記決定手段で決定されたモードで予備吐出させる予備吐出手段と、を備えることを特徴とする。
【手続補正４】
【補正対象書類名】明細書
【補正対象項目名】０００６
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
シートを第１方向に搬送する搬送手段と、
前記第１方向と交差する第２方向に沿って複数のノズルが配列された第１ノズルチップが前記第２方向に沿って複数設けられた第１ノズルチップ群と、前記第２方向に沿って複数のノズルが配列された第２ノズルチップが前記第２方向に沿って複数設けられた第２ノズルチップ群と、を有し、前記第１ノズルチップ群と前記第２ノズルチップ群は前記第１方向においてずれて配置され、かつ隣接する前記第１ノズルチップと前記第２ノズルチップは前記第２方向において所定量ずれて配置された記録ヘッドと、
を備えるインクジェット記録装置において、
前記第１ノズルチップ群に含まれ前記第２方向において前記第２ノズルチップ群のノズルと重複するノズルと、前記第２ノズルチップ群に含まれ前記第２方向において前記第１ノズルチップ群のノズルと重複するノズルを、前記シートに記録された画像内に予備吐出する第１のモードと、前記シートに記録された画像間に予備吐出する第２のモードとのいずれのモードで予備吐出させるか決定する決定手段と、
前記第１ノズルチップ群に含まれ前記第２方向において前記第２ノズルチップ群のノズルと重複しないノズルと、前記第２ノズルチップ群に含まれ前記第２方向において前記第１ノズルチップ群のノズルと重複しないノズルを前記第１のモードで予備吐出させ、前記第１ノズルチップ群に含まれ前記第２方向において前記第２ノズルチップ群のノズルと重複するノズルと、前記第２ノズルチップ群に含まれ前記第２方向において前記第１ノズルチップ群のノズルと重複するノズルを前記決定手段で決定されたモードで予備吐出させる予備吐出手段と、
を備えることを特徴とするインクジェット記録装置。
【請求項２】
前記決定手段は、前記第１ノズルチップ群に含まれ前記第２方向において前記第２ノズルチップ群のノズルと重複し画像の記録に使用されるノズルと、前記第２ノズルチップ群に含まれ前記第２方向において前記第１ノズルチップ群のノズルと重複し画像の記録に使用されるノズルを、前記第１のモードに決定することを特徴とする請求項１に記載のインクジェット記録装置。
【請求項３】
前記決定手段は、前記第１ノズルチップ群に含まれ前記第２方向において前記第２ノズルチップ群のノズルと重複するすべてのノズルと、前記第２ノズルチップ群に含まれ前記第２方向において前記第１ノズルチップ群のノズルと重複するすべてのノズルを、前記第２のモードに決定することを特徴とする請求項２に記載のインクジェット記録装置。
【請求項４】
前記決定手段は、前記第１ノズルチップ群に含まれ前記第２方向において前記第２ノズルチップ群のノズルと重複し画像の記録に使用されないノズルと、前記第２ノズルチップ群に含まれ前記第２方向において前記第１ノズルチップ群のノズルと重複し画像の記録に使用されないノズルを、前記第２のモードに決定することを特徴とする請求項２に記載のインクジェット記録装置。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
第１面に印刷されたシートを回転体で巻取り、前記回転体に巻き取られたシートを送り出して印刷部で第２面に印刷を行う印刷装置であって、
前記回転体から送り出されたシートの側端部をガイドするガイド部を有し、
シートを前記回転体の周囲でたるませた状態で前記回転体から送り出し、送り出されるシートの側端部を前記ガイド部によりガイドすることを特徴とする印刷装置。
【請求項２】
前記回転体と前記ガイド部の間に離間を行うことができる第１の搬送ローラ対を有し、前記第１の搬送ローラ対を離間させた状態で、前記ガイド部でシートの側端の位置を位置決めする請求項１に記載の印刷装置。
【請求項３】
前記ガイド部はシートの側端部の位置を規制する規制位置とシートの側端部から離れた離間位置に移動可能なガイド部材を有し、シートを前記回転体に巻き取るときは前記ガイド部材を前記離間位置に移動させ、シートを前記回転体から送り出すときは前記第１の搬送ローラ対を離間させた状態で前記ガイド部材を前記規制位置に移動させてシートの側端部の位置を規制し、そののちに前記第１の搬送ローラ対でシートを挟持して搬送する請求項２に記載の印刷装置。
【請求項４】
前記ガイド部に対して、シートを前記回転体から送り出す搬送方向の下流側に第２の搬送ローラ対を有し、前記第１の搬送ローラ対で搬送されるシートを第２の搬送ローラ対が狭持するまで第１の搬送ローラ対でシートを搬送し、シートが第２の搬送ローラ対に狭持された後に第１の搬送ローラ対を離間させることを特徴とする請求項３に記載の印刷装置。
【請求項５】
前記回転体は、シートを巻き取るためにシートの先端を挟持してシート先端を前記回転体に保持するローラ対を有している請求項１に記載の印刷装置。
【請求項６】
巻取り径に応じて前記回転体の回転速度を変えることを特徴とする請求項１記載の印刷装置。
【請求項７】
シートの種類に応じて前記回転体の回転速度を変えることを特徴とする請求項１記載の印刷装置。
【請求項８】
回転体の回転速度は、巻取りの際の情報に基づいて決定されることを特徴とする請求項１記載の印刷装置。
【請求項９】
シートを回転体で巻取り、前記回転体に巻き取られたシートを送り出すシート取扱装置であって、
前記回転体から送り出されたシートの側端部をガイドするガイド部を有し、
シートを前記回転体の周囲でたるませた状態で前記回転体から送り出し、前記ガイド部により回転体から送り出されるシートの側端部をガイドすることを特徴とするシート取扱装置。
【請求項１０】
前記回転体と前記ガイド部の間に離間を行うことができる第１の搬送ローラ対を有し、前記第１の搬送ローラ対を離間させた状態で、前記ガイド部でシートの側端の位置を位置決めする請求項９に記載のシート取扱装置。
【請求項１１】
前記ガイド部はシートの側端部の位置を規制する規制位置とシートの側端部から離れた離間位置に移動可能なガイド部材を有し、シートを前記回転体に巻き取るときは前記ガイド部材を前記離間位置に移動させ、シートを送り出すときは前記第１の搬送ローラ対を離間させた状態で前記ガイド部材を前記規制位置に移動させてシートの側端部の位置を規制し、そののちに前記第１の搬送ローラ対でシートを挟持して搬送する請求項１０に記載のシート取扱装置。
【請求項１２】
前記ガイド部に対して、シートを前記回転体から送り出す搬送方向の下流側に第２の搬送ローラ対を有し、前記第１の搬送ローラ対で搬送されるシートを第２の搬送ローラ対が狭持するまで第１の搬送ローラ対でシートを搬送し、シートが第２の搬送ローラ対に狭持された後に第１の搬送ローラ対を離間させることを特徴とする請求項１１に記載のシート取扱装置。
【請求項１３】
前記回転体は、シートを巻き取るためにシートの先端を挟持してシート先端を前記回転体に保持するローラ対を有している請求項９に記載のシート取扱装置。
【手続補正２】
【補正対象書類名】明細書
【補正対象項目名】０００６
【補正方法】変更
【補正の内容】
【０００６】
本発明は、シートを回転体で巻取り、前記回転体に巻き取られたシートを送り出すシート取扱装置であって、シートを前記回転体の周囲でたるませた状態で前記回転体から送り出し、前記ガイド部により回転体から送り出されるシートの側端部をガイドすることを特徴とするシート取扱装置である。
【手続補正書】
【提出日】平成26年2月13日(2014.2.13)
【手続補正１】
【補正対象書類名】明細書
【補正対象項目名】００１６
【補正方法】変更
【補正の内容】
【００１６】
ケーシング２は、筒状の気体透過部の外周径より大きな内周径を有し、両端が開放状態にある筒状であることから、該筒状ケーシングの一端をベース（基台）７に形成された所定の勘合部に固定することにより、該筒状の気体透過部１の外周径と該筒状ケーシング２の内周径との差異により該筒状の気体透過部１の外周気体透過面と該筒状ケーシング２の内周径との間隙が液体流路６として形成される。このとき内周径の大きな筒状ケーシング２を選定して間隙を広くすると液体流路６における液体の流量を増すことができ、内周径の小さな筒状ケーシング２を選定して間隙を狭くすると液体流路６における液体の流速を高くすることができる。
【手続補正２】
【補正対象書類名】特許請求の範囲
【補正対象項目名】全文
【補正方法】変更
【補正の内容】
【特許請求の範囲】
【請求項１】
少なくとも、気体透過面に、気体透過量を制限し得る高分子樹脂フィルムにクレーズを生成してなる通気性フィルムを配して超微細な気泡を水中に放出させる筒状の気体透過部１と、該筒状の気体透過部へ加圧状態の気体を供給する送気システムと、該筒状の気体透過部１の外周径より大きな内周径を有する両端が開放状態にある筒状ケーシング２と、該筒状の気体透過部１と該筒状ケーシング２を勘合することにより該筒状の気体透過部１の外周径と該筒状ケーシング２の内周径との差異により形成される間隙（液体流路６）に水等の液体を導入する送水システムで構成され、気体透過部１に供給される気体の加圧状態を送気システムで調節し、水等の液体を供給する送液システムにおいて送水圧を調節するとともに、内周径の異なる筒状ケーシング２を適宜採用し水の流量を調節して、流速を制御することで、筒状の気体透過部１の外周径と筒状ケーシング２の内周径との差異により形成される間隙（液体流路６）を通過する水流により、気体透過面で気体透過の初期段階に成長する気泡をせん断して、所望とする超微細気泡を含有する水を製造することを特徴とする超微細気泡含有水製造装置。
【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
記録媒体に記録を行なう記録部と、
前記記録部を制御する制御部と、
前記制御部の制御に関する管理情報、及び前記管理情報と対応する報知情報を記憶する記憶部と、
前記報知情報を変更する情報を入力する入力部と、
前記記憶部に記憶された前記報知情報を出力する出力部と、
を備えることを特徴とする記録装置。
【請求項２】
前記記憶部に記憶された前記管理情報が書き換えられる時、
前記記憶部に記憶された前記報知情報が前記入力部で入力された情報に基づいて変更されている場合は、前記報知情報を書き換えず、
前記報知情報が変更されていない場合は、書き換えられる前記管理情報に基づいて前記記憶部に記憶された前記報知情報を変更する請求項１に記載の記録装置。
【請求項３】
前記制御部は、ファームウェアが入力され、前記ファームウェアにより前記記録部を制御し、
前記記憶部に記憶される前記管理情報は、前記ファームウェアに関する情報を含む請求項２に記載の記録装置。
【請求項４】
前記出力部は、前記報知情報を前記記録部に出力し、
前記記録部は前記出力部により出力された前記報知情報を前記記録媒体に記録する請求項１に記載の記録装置。
【請求項５】
前記報知情報を表示する表示部を有し、
前記出力部は、前記報知情報を前記表示部に出力する請求項１に記載の記録装置。
【請求項６】
記録媒体に記録を行なう記録部と、
前記記録部を制御する制御部と、
前記制御部の制御に関する管理情報、及び前記管理情報と対応する報知情報を記憶する記憶部と、
前記報知情報を変更する情報を入力する入力部と、
前記記憶部に記憶された前記報知情報を出力する出力部と、
前記管理情報に係る情報を送信する送信部と、
を備えることを特徴とする記録システム。
【請求項７】
前記記憶部に記憶された前記管理情報が書き換えられる時、
前記記憶部に記憶された前記報知情報が変更されている場合は、前記報知情報を書き換えず、
前記報知情報が変更されていない場合は、書き換えられる前記管理情報に基づいて前記記憶部に記憶された前記報知情報を変更する請求項６に記載の記録システム。
【請求項８】
記録媒体に記録する記録部を制御するファームウェアを更新し、
前記ファームウェアの更新に基づいて、制御に関する管理情報を書き換え、
前記ファームウェアを更新した後、前記ファームウェアに関する情報を含む報知情報の出力が要求されたとき、前記報知情報が入力部で入力された情報に基づいて変更されている場合には前記入力部で入力された情報に基づいて変更された前記報知情報を出力し、前記ファームウェアの前記報知情報が入力部により変更されていない場合には書き換えられた前記管理情報に基づく前記報知情報を出力することを特徴とする記録装置の制御方法。
【手続補正２】
【補正対象書類名】明細書
【補正対象項目名】０００６
【補正方法】変更
【補正の内容】
【０００６】
上記目的を達成するために、本発明の記録装置は、記録媒体に記録を行なう記録部と、前記記録部を制御する制御部と、前記制御部の制御に関する管理情報、及び前記管理情報と対応する報知情報を記憶する記憶部と、前記報知情報を変更する情報を入力する入力部と、前記記憶部に記憶された前記報知情報を出力する出力部と、を備えることを特徴とする。
【手続補正３】
【補正対象書類名】明細書
【補正対象項目名】０００８
【補正方法】変更
【補正の内容】
【０００８】
また、前記記憶部に記憶された前記管理情報が書き換えられる時、前記記憶部に記憶された前記報知情報が変更されている場合は、前記報知情報を書き換えず、前記報知情報が変更されていない場合は、書き換えられた前記管理情報に基づいて前記第２の記憶部に記憶される前記報知情報を変更する。
【手続補正４】
【補正対象書類名】明細書
【補正対象項目名】００１８
【補正方法】変更
【補正の内容】
【００１８】
また、上記目的を達成するために、本発明の記録システムは、記録媒体に記録を行なう記録部と、前記記録部を制御する制御部と、前記制御部の制御に関する管理情報、及び前記管理情報と対応する報知情報を記憶する記憶部と、前記報知情報を変更する情報を入力する入力部と、前記記憶部に記憶された前記報知情報を出力する出力部と、前記管理情報に係る情報を送信する送信部と、を備えることを特徴とする。
【手続補正５】
【補正対象書類名】明細書
【補正対象項目名】００２０
【補正方法】変更
【補正の内容】
【００２０】
また、前記記憶部に記憶された前記管理情報が書き換えられる時、前記記憶部に記憶された前記報知情報が前記入力部で入力された情報に基づいて変更されている場合は、前記報知情報を書き換えず、前記報知情報が変更されていない場合は、書き換えられる前記管理情報に基づいて前記記憶部に記憶された前記報知情報を変更する。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
記録媒体が搬送される搬送路と、
記録媒体を切断する切断手段と、
前記搬送路の途中に設けられ、前記切断手段によって記録媒体から切り離される部分を前記搬送路から排出するための排出口と、
記録媒体が切断される際に、前記排出口とは反対側から記録媒体に接触し、記録媒体の切り離される部分を前記排出口から搬送路の外側に排出させる排出手段と、
前記記録媒体の切り離される部分を前記搬送路の外側に案内する案内手段と、
を有し、
前記搬送路の前記排出口より上流側の搬送面と前記案内手段とによって形成される角度が鈍角であることを特徴とする切断装置。
【請求項２】
前記切断手段は、第１の刃と第２の刃を有し、
前記第１の刃の面は、前記案内手段を兼ねていることを特徴とする請求項１に記載の切断装置。
【請求項３】
前記切断手段は、第１の刃と第２の刃を有し、
前記第２の刃は前記排出手段を兼ねていることを特徴とする請求項１又は２に記載の切断装置。
【請求項４】
前記切断手段は、前記第１の刃及び前記第２の刃のうち少なくとも一方が前記搬送路を横切るように移動することによって記録媒体を切断することを特徴とする請求項２又は３に記載の切断装置。
【請求項５】
前記第１の刃は、前記搬送路を搬送する記録媒体の下面側に設けられ、
前記第２の刃は、前記搬送路を搬送する記録媒体の上面側に設けられることを特徴とする請求項２〜４のいずれか１項に記載の切断装置。
【請求項６】
前記排出手段は、前記搬送路に対して傾斜する傾斜面を有することを特徴とする請求項１〜５のいずれか１項に記載の切断装置。
【請求項７】
前記搬送手段から前記切断手段に記録媒体を案内する第１の位置と、前記搬送路から離れた第２の位置に移動可能なガイドをさらに備えることを特徴とする請求項１〜６のいずれか１項に記載の切断装置。
【請求項８】
前記切断手段によって切り離される記録媒体の後端側の部分が切断時に前記搬送手段によって保持されない第１の長さの場合、前記ガイドを第１の位置とした状態で前記記録媒体を切断し、
前記切断手段によって切り離される記録媒体の後端側の部分が切断時に前記搬送手段によって保持される第２の長さの場合、前記ガイドを第２の位置とした状態で前記記録媒体を切断することを特徴とする請求項７に記載の切断装置。
【請求項９】
前記記録媒体が前記排出口よりも搬送方向下流側で記録媒体を搬送する搬送手段に達するまでは、前記ガイドを第１の位置とすることを特徴とする請求項７又は８に記載の切断装置。
【請求項１０】
記録媒体が搬送される搬送路と、
記録媒体を切断する切断手段と、
前記搬送路の途中に設けられ、前記切断手段によって記録媒体から切り離される部分を前記搬送路から排出するための排出口と、
前記排出口よりも搬送方向上流側で記録媒体を搬送する搬送手段と、 前記搬送手段から前記切断手段に記録媒体を案内する第１の位置と、前記搬送路から離れた第２の位置に移動可能なガイドと、を有し、
前記切断手段によって切り離される記録媒体の後端側の部分が切断時に前記搬送手段によって保持されない第１の長さの場合、前記ガイドを第１の位置とした状態で前記記録媒体を切断し、
前記切断手段によって切り離される記録媒体の後端側の部分が切断時に前記搬送手段によって保持される第２の長さの場合、前記ガイドを第２の位置とした状態で前記記録媒体を切断することを特徴とする切断装置。
【請求項１１】
前記搬送路は、搬送方向に下り傾斜していることを特徴とする請求項１〜１０のいずれか１項に記載の切断装置。
【請求項１２】
前記切断手段は、切断方向の移動が完了した位置で一時的に停止する請求項１〜１１のいずれか１項に記載の切断装置。
【請求項１３】
前記排出口よりも搬送方向上流側で記録媒体を搬送する第１搬送手段と、
前記排出口よりも搬送方向下流側で記録媒体を搬送する第２搬送手段と、
をさらに備えることを特徴とする請求項１〜１２のいずれか１項に記載の切断装置。
【請求項１４】
前記第１搬送手段は、前記切断手段が前記記録媒体を切断した際に駆動を開始する請求項１３に記載の切断装置。
【請求項１５】
前記第１搬送手段は、一対の搬送ローラを含み、
前記一対の搬送ローラは、上側の搬送ローラが下側の搬送ローラに対して搬送方向下流側にオフセットされていることを特徴とする請求項１３又は１４に記載の切断装置。
【請求項１６】
請求項１〜１５のいずれか１項に記載の切断装置を備えることを特徴とするプリンタ。
【手続補正２】
【補正対象書類名】明細書
【補正対象項目名】００１０
【補正方法】変更
【補正の内容】
【００１０】
上述のような課題を解決するための本発明は、記録媒体が搬送される搬送路と、記録媒体を切断する切断手段と、前記搬送路の途中に設けられ、前記切断手段によって記録媒体から切り離される部分を前記搬送路から排出するための排出口と、記録媒体が切断される際に、前記排出口とは反対側から記録媒体に接触し、記録媒体の切り離される部分を前記排出口から搬送路の外側に排出させる排出手段と、前記記録媒体の切り離される部分を前記搬送路の外側に案内する案内手段と、を有し、前記搬送路の前記排出口より上流側の搬送面と前記案内手段とによって形成される角度が鈍角であることを特徴とする切断装置である。また、記録媒体が搬送される搬送路と、記録媒体を切断する切断手段と、前記搬送路の途中に設けられ、前記切断手段によって記録媒体から切り離される部分を前記搬送路から排出するための排出口と、前記排出口よりも搬送方向上流側で記録媒体を搬送する搬送手段と、前記搬送手段から前記切断手段に記録媒体を案内する第１の位置と、前記搬送路から離れた第２の位置に移動可能なガイドと、を有し、前記切断手段によって切り離される記録媒体の後端側の部分が切断時に前記搬送手段によって保持されない第１の長さの場合、前記ガイドを第１の位置とした状態で前記記録媒体を切断し、前記切断手段によって切り離される記録媒体の後端側の部分が切断時に前記搬送手段によって保持される第２の長さの場合、前記ガイドを第２の位置とした状態で前記記録媒体を切断することを特徴とする切断装置である。
【手続補正書】
【提出日】平成26年2月7日(2014.2.7)
【手続補正１】
【補正対象書類名】明細書
【補正対象項目名】０００７
【補正方法】変更
【補正の内容】
【０００７】
本発明のインクジェット記録装置は、第１方向へシートを搬送する搬送機構と、前記第１方向と交差する第２方向に複数のノズルが配列されたノズル面を有し、前記シート上に前記複数のノズルからインクを吐出させることによって記録を行う記録ヘッドと、前記ノズル面をワイピングするワイピング動作を実行するワイピング手段と、前記複数のノズルからインクを吸引する吸引動作を実行する吸引手段と、前記ワイピング手段および前記吸引手段を保持し、前記第２方向へ往復移動するクリーニング手段と、前記クリーニング手段が往路へ移動するときに前記ワイピング手段に前記ワイピング動作を実行させ、その後、前記クリーニング手段が復路へ移動するときに前記吸引手段に前記吸引動作を実行させる制御手段と、を備えたことを特徴とする。
【手続補正２】
【補正対象書類名】特許請求の範囲
【補正対象項目名】全文
【補正方法】変更
【補正の内容】
【特許請求の範囲】
【請求項１】
第１方向へシートを搬送する搬送機構と、
前記第１方向と交差する第２方向に複数のノズルが配列されたノズル面を有し、前記シート上に前記複数のノズルからインクを吐出させることによって記録を行う記録ヘッドと、
前記ノズル面をワイピングするワイピング動作を実行するワイピング手段と、
前記複数のノズルからインクを吸引する吸引動作を実行する吸引手段と、
前記ワイピング手段および前記吸引手段を保持し、前記第２方向へ往復移動するクリーニング手段と、
前記クリーニング手段が往路へ移動するときに前記ワイピング手段に前記ワイピング動作を実行させ、その後、前記クリーニング手段が復路へ移動するときに前記吸引手段に前記吸引動作を実行させる制御手段と、
を備えたことを特徴とするインクジェット記録装置。
【請求項２】
前記制御手段は、前記復路にて前記吸引動作を実行し、その後、前記往路にて前記吸引動作を実行するように、前記吸引手段を制御することを特徴とする請求項１に記載のインクジェット記録装置。
【請求項３】
前記制御手段は、前記往路および前記復路にて、前記吸引動作を実行するように、前記吸引手段を制御することを特徴とする請求項１に記載のインクジェット記録装置。
【請求項４】
前記吸引手段により前記吸引動作を実行する際の移動速度は、前記ワイピング手段により前記ワイピング動作を実行する際の移動速度よりも遅いことを特徴とする請求項１ないし３のいずれか１項に記載のインクジェット記録装置。
【請求項５】
前記ワイピング手段は、前記往路においてのみ前記ワイピング動作が実行できるように構成されていることを特徴とする請求項１ないし４のいずれか１項に記載のインクジェット記録装置。
【請求項６】
前記ワイピング手段は、前記ノズル面に当接して撓む弾性体からなるブレードを有することを特徴とする請求項１ないし５のいずれか１項に記載のインクジェット記録装置。
【請求項７】
前記吸引手段は、吸引ノズルを有し、当該吸引ノズル内は、前記複数のノズルからインクを吸引するために減圧されることを特徴とする請求項１ないし６のいずれか１項に記載のインクジェット記録装置。
【請求項８】
前記ワイピング手段および前記吸引手段は、動作可能なクリーニング位置と、退避位置との間で移動可能に保持され、
前記ワイピング手段および前記吸引手段の一方を前記退避位置から前記クリーニング位置に移動させると、前記ワイピング手段および前記吸引手段の他方を前記クリーニング位置から前記退避位置へ移動させる切換手段を有することを特徴とする請求項１ないし７のいずれか１項に記載のインクジェット記録装置。
【請求項９】
前記ノズル面には、ノズル配列方向における端部において封止部が形成され、前記封止部は、前記ノズル面に対して段差をもつようにインク吐出方向に突出していることを特徴とする請求項１ないし８のいずれか１項に記載のインクジェット記録装置。
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
用紙を切断するための切断ユニットと、
前記用紙の搬送方向と交差する方向に前記切断ユニットを移動させる移動手段と、
前記移動手段を駆動するモータと、
前記モータの電流値を検出する検出手段と、
前記用紙の切断のために所定の位置から移動を開始した前記切断ユニットが、移動開始から切断を終了するまでに要する用紙切断時間を取得し、前記切断ユニットが移動を開始してから前記用紙切断時間が経過してから、切断終了後に停止する停止位置に移動するまでの間に、前記電流値の状態を判定し、判定結果に基づいて、前記モータの駆動を停止させる制御手段と
を備えることを特徴とする用紙切断装置。
【請求項２】
前記制御手段は前記用紙の幅に関する情報と、前記切断ユニットの移動速度に関する情報を取得し、取得した情報に基づいて前記用紙切断時間を取得することを特徴とする請求項１に記載の用紙切断装置。
【請求項３】
前記切断ユニットが前記停止位置に到達したことを検出する到達検出手段を備えることを特徴とする請求項１に記載の用紙切断装置。
【請求項４】
前記制御手段は、前記電流値が閾値を超えたと判定した場合、前記モータの駆動を停止することを特徴とする請求項１に記載の用紙切断装置。
【請求項５】
前記制御手段は、前記電流値の所定時間あたりの増加が閾値を超えたと判定した場合、前記モータの駆動を停止することを特徴とする請求項１に記載の用紙切断装置。
【請求項６】
請求項１に記載の用紙切断装置と記録ヘッドとを備えたことを特徴とする記録装置。
【手続補正２】
【補正対象書類名】明細書
【補正対象項目名】０００９
【補正方法】変更
【補正の内容】
【０００９】
上記課題を解決するため、本発明の一態様による用紙切断装置は、用紙を切断するための切断ユニットと、前記用紙の搬送方向と交差する方向に前記切断ユニットを移動させる移動手段と、前記移動手段を駆動するモータと、前記モータの電流値を検出する検出手段と、前記用紙の切断のために所定の位置から移動を開始した前記切断ユニットが、移動開始から切断を終了するまでに要する用紙切断時間を取得し、前記切断ユニットが移動を開始してから前記用紙切断時間が経過してから、切断終了後に停止する停止位置に移動するまでの間に、前記電流値の状態を判定し、判定結果に基づいて、前記モータの駆動を停止させる制御手段とを備える。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
ワークを移動させるロボットと、
少なくとも前記ロボットが把持する前記ワークを撮像する撮像部と、
前記撮像部の撮像領域内に設置されたセンサーと、
前記ロボットを動作させるロボットコントローラーと、を含み、
前記ロボットコントローラーは、
前記ワークが前記センサーを横切った時に、前記撮像部に、少なくとも前記ロボットが把持する前記ワークを撮像させる、
ことを特徴とする位置検出装置。
【請求項２】
前記ロボットは、前記ワークを所定位置に移動させ、
前記ロボットコントローラーは、
前記ワークが前記センサーを横切った時に前記撮像部が撮像した撮像画像を用いて、前記所定位置を補正する、
請求項１に記載の位置検出装置。
【請求項３】
前記撮像対象は、前記ワークであり、
前記撮像領域では、前記ロボットのエンドエフェクターが前記ワークによって前記撮像部に対して光学的に遮蔽されている
請求項１又は２に記載の位置検出装置。
【請求項４】
前記ロボットコントローラーは、前記所定位置と前記ロボットの駆動源の駆動量とを対応付けて記憶する記憶部を含む、
請求項２又は３に記載の位置検出装置。
【請求項５】
撮像部により、ロボットが把持するワークが前記撮像部の撮像範囲内に設置されたセンサーを横切った時に、少なくとも前記ワークを撮像する工程と、
前記ワークが前記センサーを横切った時に前記撮像部が撮像した撮像画像を用いて、前記ロボットが前記ワークを移動させる所定位置を補正する工程と、
前記ロボットにより、補正された前記所定位置に前記ワークを移動させる工程と、
を含むことを特徴とする位置検出方法。
【手続補正２】
【補正対象書類名】明細書
【補正対象項目名】発明の名称
【補正方法】変更
【補正の内容】
【発明の名称】位置検出装置、及び位置検出方法
【手続補正３】
【補正対象書類名】明細書
【補正対象項目名】０００１
【補正方法】変更
【補正の内容】
【０００１】
この発明は、ロボットの位置又はロボットが搬送するワークの位置を画像に基づいて検出する位置検出装置、及び位置検出方法に関する。
【手続補正４】
【補正対象書類名】明細書
【補正対象項目名】００１１
【補正方法】変更
【補正の内容】
【００１１】
この発明は、上記実情に鑑みてなされたものであり、その目的は、ロボットが有する駆動源の駆動量と実際のロボットの状態とを画像に基づいて対応付ける処理の効率を高めることの可能な位置検出装置、及び位置検出方法を提供することにある。
【手続補正５】
【補正対象書類名】明細書
【補正対象項目名】００１２
【補正方法】変更
【補正の内容】
【００１２】
本発明における位置検出装置は、ワークを移動させるロボットと、少なくとも前記ロボットが把持する前記ワークを撮像する撮像部と、前記撮像部の撮像領域内に設置されたセンサーと、前記ロボットを動作させるロボットコントローラーと、を含み、前記ロボットコントローラーは、前記ワークが前記センサーを横切った時に、前記撮像部に、少なくとも前記ロボットが把持する前記ワークを撮像させることを要旨とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
この発明は、前記ロボットは、前記ワークを所定位置に移動させ、前記ロボットコントローラーは、前記ワークが前記センサーを横切った時に前記撮像部が撮像した撮像画像を
用いて、前記所定位置を補正することが好ましい。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
この発明は、前記撮像対象が、前記ワークであり、前記撮像領域では、前記ロボットのエンドエフェクターが前記ワークによって前記撮像部に対して光学的に遮蔽されていることが好ましい。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
この発明は、前記ロボットコントローラーが、前記所定位置と前記ロボットの駆動源の駆動量とを対応付けて記憶する記憶部を含むことが好ましい。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
本発明における位置検出方法は、撮像部により、ロボットが把持するワークが前記撮像部の撮像範囲内に設置されたセンサーを横切った時に、少なくとも前記ワークを撮像する工程と、前記ワークが前記センサーを横切った時に前記撮像部が撮像した撮像画像を用いて、前記ロボットが前記ワークを移動させる所定位置を補正する工程と、前記ロボットにより、補正された前記所定位置に前記ワークを移動させる工程と、を含むことを要旨とする。
【手続補正１９】
【補正対象書類名】明細書
【補正対象項目名】００２６
【補正方法】削除
【補正の内容】
【手続補正２０】
【補正対象書類名】明細書
【補正対象項目名】００２８
【補正方法】変更
【補正の内容】
【００２８】
本発明の位置検出装置、及び位置検出方法の一実施形態について図１〜図３を参照して以下に説明する。
［ロボットシステム］
まず、ロボットシステムの概要について図１を参照して説明する。同図１に示されるように、水平多関節ロボット（以下、ロボット）１０の基台１１には、第１アーム１２が、鉛直方向に延びる第１回転軸１２ａを介して基台１１に対して水平方向に回動可能に連結されている。上記基台１１には、第１回転軸１２ａを回転させることで第１アーム１２を回動させる駆動源としての第１モーター１１ａが内蔵されている。また、基台１１には、第１モーター１１ａの駆動量である回転数を検出して出力する第１エンコーダー１１ｂが搭載されている。
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
記録媒体上に画像を記録する画像記録部と、
記録済みの前記記録媒体を起立姿勢で且つ保持面に重ねて保持する保持部と、
記録済みの前記記録媒体を下方から前記保持面に沿わせるように送り出す媒体排出手段と、
前記送り出された直後の前記記録媒体の下部となる位置に配設されると共に、前記媒体排出手段による前記記録媒体の送り出し方向となる仮想面に対し前記保持面側に突出して、前記記録媒体を前記保持面側に押圧する媒体押圧手段と、を備えたことを特徴とする記録装置。
【請求項２】
前記媒体排出手段は、前記保持部側に駆動ローラーを配置したニップローラーを有していることを特徴とする請求項１に記載の記録装置。
【請求項３】
前記媒体押圧手段は、前記記録媒体に接触して回転する自由回転ローラーを有していることを特徴とする請求項１または２のいずれかに記載の記録装置。
【請求項４】
前記自由回転ローラーは、スターホイールで構成されていることを特徴とする請求項３に記載の記録装置。
【請求項５】
前記送り出し方向に直交する方向に、前記媒体押圧手段が複数配設されていることを特徴とする請求項１ないし４のいずれかに記載の記録装置。
【請求項６】
前記保持部は、前記媒体押圧手段の押圧により、下部が前記保持部側に移動した前記記録媒体を、さらに保持位置に導く傾斜部と、
前記傾斜部に連なり、前記保持位置に移動した前記記録媒体を下側から支持する支持部と、を有していることを特徴とする請求項１ないし５のいずれかに記載の記録装置。
【請求項７】
未記録の前記記録媒体を起立姿勢で収容すると共に着脱自在に構成された媒体カセットを、更に備え、
前記保持部は、前記媒体カセットの外面に形成されていることを特徴とする請求項１ないし６のいずれかに記載の記録装置。
【請求項８】
記録媒体上に画像を記録する画像記録部と、
駆動ローラーと従動ローラーとから成るニップローラーを有し、記録済みの前記記録媒体を上方に向って送り出す媒体排出手段と、
前記媒体排出手段の上方に配設されると共に、前記媒体排出手段による前記記録媒体の送り出し方向となる仮想面に対し、前記駆動ローラー側に突出した状態で前記従動ローラー側に配設され、前記記録媒体を前記駆動ローラーに押し付ける媒体押付手段と、を備えたことを特徴とする記録装置。
【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
浴室の床面を補修する補修剤と、シート状の床材を浴室の床面に接着する接着剤と、浴室の床面と床材との間をシールするシール剤とが収納される収納箱を備えることを特徴とする浴室用床材の施工キット。
【請求項２】
前記補修剤と、接着剤と、シール剤を保持する保持体が収納箱に収納されてなる請求項１に記載の浴室用床材の施工キット。
【請求項３】
前記床材を浴室の床面に施工するための道具が収納箱に収納されてなる請求項１または２に記載の浴室用床材の施工キット。
【請求項４】
前記収納箱には、床材の施工要領が記載された施工説明書が付属される請求項１から３のいずれか１項に記載の浴室用床材の施工キット。
【請求項５】
前記保持体は、補修剤、接着剤及びシール剤を収納可能な箱形状に構成されてなる請求項２から４のいずれか１項に記載の浴室用床材の施工キット。
【請求項６】
前記保持体は、補修剤と、接着剤と、シール剤を固定する固定部を有する請求項２から５のいずれか１項に記載の浴室用床材の施工キット。
【請求項７】
前記補修剤と、接着剤と、シール剤とには、これらを識別される識別情報が付されている請求項１から６のいずれか１項に記載の浴室用床材の施工キット。
【請求項８】
前記識別情報は、補修剤と、接着剤と、シール剤とに個別に付された色情報である請求項７に記載の浴室用床材の施工キット。
【請求項９】
前記保持体は、床材の施工要領が表示される表示部を有する請求項２から８のいずれか１項に記載の浴室用床材の施工キット。
【請求項１０】
表示部は、補修剤、接着剤、及びシール剤が使用される施工要領の各工程を、保持体に保持されている補修剤、接着剤、及びシール剤の保持位置に対応して表示可能に構成されてなる請求項９項に記載の浴室用床材の施工キット。
【請求項１１】
前記保持体は、補修剤、接着剤、シール剤を保持する本体部と、本体部に対して開閉自在に設けられる蓋部とを有し、前記表示部が蓋部に設けられてなる請求項９または１０に記載の浴室用床材の施工キット。
【請求項１２】
前記保持体は、前記表示部が所定の表示位置にて表示されるように蓋部を所定の姿勢で掛止する掛止手段を有する請求項１１に記載の浴室用床材の施工キット。
【請求項１３】
前記固定部は、補修剤、接着剤、及びシール剤を挿通可能な開口部と、補修剤、接着剤、及びシール剤の下部を支持する支持部とを有し、支持部は、その支持位置を変更可能に構成されてなる請求項６に記載の浴室用床材の施工キット。
【請求項１４】
前記保持体は、蓋部が本体部に対して閉じた状態で、この蓋部を掛止する掛止手段を有する請求項１１又は１２に記載の浴室用床材の施工キット。
【請求項１５】
前記保持体は、その底部の上方位置に前記固定部を備え、固定部の支持部を所定の位置に配置すべく、保持体の底部と固定部の支持部との間にスペーサが設けられてなる請求項６に記載の浴室用床材の施工キット。
【請求項１６】
前記固定部、本体部、蓋部は１枚の台紙に形成されてなる請求項１１に記載の浴室用床材の施工キット。
【手続補正２】
【補正対象書類名】明細書
【補正対象項目名】０００９
【補正方法】変更
【補正の内容】
【０００９】
本発明に係る浴室床材の施工キットは、上記の課題を解決するためのものであって、浴室の床面を補修する補修剤と、シート状の床材を浴室の床面に接着する接着剤と、浴室の床面と床材との間をシールするシール剤とが収納される収納箱を備えることを特徴とする。
【手続補正３】
【補正対象書類名】明細書
【補正対象項目名】００１０
【補正方法】変更
【補正の内容】
【００１０】
かかる構成によれば、浴室用床材の施工キットは、補修剤と、接着剤と、シール剤とを収納箱に収納することによって、床材の施工に必要な材料のほぼ全てを集約することができ、これらを別々に集めるということがなく、準備に時間をかける必要がなくなる。これによって、床材の施工作業の効率を向上することができるようになる。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
複数の静翼（２２）を持つ圧縮機（１２）用の可変静翼集成体（２０）であって、当該可変静翼集成体（２０）が、
同期化リング（２６）と、
前記同期化リング（２６）に固定された複数の取付けスタッド（５８）であって、その各々が中間部分（８０）と肩部分（８４）とを含んでいて、肩部分（８４）が中間部分（８０）に対して外側に延びる半径方向外側面（１０４）を含んでいる、複数の取付けスタッド（５８）と、
各々が第１の端部（６６）及び第２の端部（６８）を持つ複数のレバー・アーム（２４）であって、その各々の前記第１の端部（６６）が複数の静翼（２２）の１つに取り付けられている複数のレバー・アーム（２４）と、
複数の回転取付け装置（６０）であって、その各々が、前記複数のレバー・アーム（２４）の各々の前記第２の端部（６８）を前記複数の取付けスタッド（５８）の１つの中間部分（８０）に回転可能に結合してそれらの間に回転界面（７６）を画成するように構成されており、複数の回転取付け装置（６０）の各々が前記複数の取付けスタッド（５８）の１つの肩部分（８４）の前記半径方向外側面（１０４）によって支持される、複数の回転取付け装置（６０）と
を備えており、
前記複数の取付けスタッド（５８）の各々が、前記同期化リング（２６）の回転時に前記同期化リング（２６）と前記複数のレバー・アーム（２４）との間に実質的に相対的な半径方向及び円周方向の摺動運動が生じないように、前記回転界面（７６）において前記複数の回転取付け装置（６０）の１つに堅固に取り付けられており、前記肩部分（８４）が、前記複数のレバー・アーム（２４）の各々を前記複数の取付けスタッド（５８）の１つの中間部分（８０）に回転可能に結合したときに、各レバー・アーム（２４）と同期化リング（２６）の隣接表面（１０８）との間に隙間（１０６）を生じるように構成されている、可変静翼集成体（２０）。
【請求項２】
前記複数の取付けスタッド（５８）の各々は、前記同期化リング（２６）の回転時に前記同期化リング（２６）と前記回転界面（７６）との間に実質的に相対的な運動が生じないように前記複数の回転取付け装置（６０）の１つに堅固に取り付けられている、請求項１記載の可変静翼集成体（２０）。
【請求項３】
前記複数の回転取付け装置（６０）は複数の軸受（６１）を有し、これらの複数の軸受（６１）の各々が、内側構成部品（９６）と、前記内側構成部品（９６）に対して相対的に回転するように構成された外側構成部品（９８）とを有している、請求項１又は請求項２記載の可変静翼集成体（２０）。
【請求項４】
前記複数の軸受（６１）の各々の前記内側構成部品（９６）は、前記同期化リング（２６）の回転時に前記同期化リング（２６）と前記複数の軸受（６１）の各々の前記内側構成部品（９６）との間に実質的に相対的な運動が生じないように、前記複数の取付けスタッド（５８）の１つに堅固に取り付けられている、請求項３記載の可変静翼集成体（２０）。
【請求項５】
前記複数の軸受（６１）の各々の前記内側構成部品（９６）は、ネジ付き保持装置（１０２）を使用して前記複数の取付けスタッド（５８）の１つに堅固に取り付けられている、請求項４記載の可変静翼集成体（２０）。
【請求項６】
前記複数のレバー・アーム（２４）の各々は、前記同期化リング（２６）を前記圧縮機（１２）のケーシング（３０）の上方に少なくとも部分的に懸架するように、片持ち梁状に形成されている、請求項１乃至請求項５のいずれか１項記載の可変静翼集成体（２０）。
【請求項７】
前記複数のレバー・アーム（２４）の各々は、その第１の端部（６６）と第２の端部（６８）との間で半径方向外向きに撓んでいる、請求項１乃至請求項５のいずれか１項記載の可変静翼集成体（２０）。
【請求項８】
前記複数のレバー・アーム（２４）の各々は、その長さの少なくとも一部分にわたってテーパを付けた輪郭（１１６）を画成している、請求項１乃至請求項７のいずれか１項記載の可変静翼集成体（２０）。
【請求項９】
複数の静翼（２２）を持つ圧縮機（１２）用の可変静翼集成体（２０）であって、当該可変静翼集成体（２０）が、
同期化リング（２６）と、
前記同期化リング（２６）に固定された複数の取付けスタッド（５８）と、
各々が第１の端部（６６）及び第２の端部（６８）を持つ複数のレバー・アーム（２４）であって、その各々の前記第１の端部（６６）が複数の静翼（２２）の１つに取り付けられている複数のレバー・アーム（２４）と、
各々が内側構成部品（９６）と該内側構成部品（９６）に対して相対的に回転するように構成された外側構成部品（９８）とを含んでいる複数の軸受（６１）であって、その各々の前記外側構成部品（９８）が前記複数のレバー・アーム（２４）の１つの前記第２の端部（６８）に装着されている、複数の軸受（６１）と
を備えており、
前記複数の取付けスタッド（５８）の各々が、前記同期化リング（２６）の回転時に前記同期化リング（２６）と前記複数の軸受（６１）の各々の前記内側構成部品（９６）との間に実質的に相対的な運動が生じないように、前記複数の軸受（６１）の１つの前記内側構成部品（９６）に堅固に取り付けられており、前記複数のレバー・アーム（２４）の各々が、各々の静翼（２２）の重量が前記複数のレバー・アーム（２４）によって支持されるように、前記同期化リング（２６）と静翼（２２）との間に結合しており、前記複数の取付けスタッド（５８）の各々が中間部分（８０）と肩部分（８４）とを含んでいて、肩部分（８４）が中間部分（８０）に対して外側に延びる半径方向外側面（１０４）を含んでおり、前記複数の軸受（６１）の各々が前記複数の取付けスタッド（５８）の１つの肩部分（８４）の前記半径方向外側面（１０４）によって支持される、可変静翼集成体（２０）。
【請求項１０】
ケーシング（３０）と、該ケーシング（３０）内に部分的に配置されていて、各々が前記ケーシング（３０）を貫通して延在するステム部分（４８）を含んでいる複数の静翼（２２）と、請求項１乃至請求項９のいずれか１項記載の可変静翼集成体（２０）とを備える、ガスタービン（１０）用の圧縮機（１２）。